(57)【特許請求の範囲】
【請求項１】
円板形状を有し、中心から放射状に均等分割して形成した外周部近傍の複数の磁極領域に、Ｓ極及びＮ極が交互に配されて形成されると共に、時計回り方向及び反時計回り方向に、それぞれ回転自在とされた第１の回転操作子と、
上記第１の回転操作子の回転操作に応じて、上記Ｓ極の磁極領域を検出している間、このＳ極の磁極領域を検出していることを示す第１の信号を出力すると共に、上記Ｎ極の磁極領域を検出している間、このＮ極の磁極領域を検出していることを示す第２の信号を出力する第１の回転検出部と、
上記第１の回転検出部から供給された上記第１の信号及び上記第２の信号の現れる順序に基づいて、上記第１の回転操作子の回転操作方向を検出すると共に、この回転操作方向に対応する上記第１の信号或いは上記第２の信号の信号数に基づいて、上記第１の回転操作子の回転操作量を検出し、上記回転操作方向及び上記回転操作量を示す第１の回転操作信号を出力する第１の回転操作信号出力部と、
外周部に沿って設けられた複数の磁極領域に、Ｓ極及びＮ極が交互に配されて形成された略円柱形状を有し、上記第１の回転操作子の略中央部に該第１の回転操作子と共に回転するように一体的に設けられ、上記第１の回転操作子の回転操作方向に対して略直交する回転操作方向とされた第２の回転操作子と、
上記第１の回転操作子と共に回転するように設けられ、上記第２の回転操作子の回転操作に応じて、上記Ｓ極の磁極領域を検出している間、このＳ極の磁極領域を検出していることを示す第３の信号を出力する第３の信号出力端子と、上記Ｎ極の磁極領域を検出している間、このＮ極の磁極領域を検出していることを示す第４の信号を出力する第４の信号出力端子とを備えた第２の回転検出部と、
上記第１の回転操作子と共に回転する上記第２の回転検出部の上記第３の信号出力端子に接触するリング形状の第１のリング端子と、上記第２の回転検出部の上記第４の信号出力端子に接触するリング形状の第２のリング端子とを備えた上記第１の回転操作子の回転軸部と、
上記回転軸部の上記第１のリング端子及び上記第２のリング端子を介して上記第２の回転検出部から供給された上記第３の信号及び上記第４の信号の現れる順序に基づいて、上記第２の回転操作子の回転操作方向を検出すると共に、この回転操作方向に対応する上記第３の信号或いは上記第４の信号の信号数に基づいて、上記第２の回転操作子の回転操作量を検出し、上記回転操作方向及び上記回転操作量を示す第２の回転操作信号を出力する第２の回転操作信号出力部と
を備えた回転入力装置を有する端末装置。
【請求項２】
上記第２の回転操作子は、当該第２の回転操作子を押圧操作した際にスイッチング信号を第５の信号出力端子を介して出力するスイッチが設けられたダンパー構造の一対の支柱部により、上記第１の回転操作子の回転操作方向に対して略直交する回転操作方向に回転自在に支持されており、
上記回転軸部は、上記支柱部の上記第５の信号出力端子に接触し、当該第５の信号出力端子を介して供給された上記スイッチング信号を出力するリング形状の第３のリング端子を備えた回転入力装置を有する
請求項１に記載の端末装置。
【請求項３】
表示部と、
上記表示部の表示領域を少なくとも２つの表示領域に分割し、一方の表示領域に第１のアプリケーションプログラムに基づく表示を行い、他方の表示領域に第２のアプリケーションプログラムに基づく表示を行うと共に、上記第１の回転操作信号、上記第２の回転操作信号、及び上記スイッチング信号のうち、少なくとも一つの信号に基づいて、上記一方の表示領域に表示されている操作対象、及び／又は、上記他方の表示領域に表示されている操作対象を移動表示制御する制御部と
を有する請求項１又は請求項２に記載の端末装置。
【請求項４】
テレビジョン放送の受信機能と、
電子メールの作成機能とを有し、
上記制御部は、上記一方の表示領域に上記テレビジョン放送の受信機能で受信されたテレビジョン放送を表示制御し、上記他方の表示領域に上記電子メールの作成機能に基づく電子メールの作成画面を表示すると共に、上記第１の回転操作信号、上記第２の回転操作信号、及び上記スイッチング信号のうち、少なくとも一つの信号に基づいて、上記電子メールの作成画面における電子メール作成処理を行う
請求項３に記載の端末装置。
【請求項５】
所望の時刻にアラーム通知を行うアラーム機能を有し、
上記制御部は、上記第１の回転操作子の回転操作に応じて回転する上記第２の回転操作子の回転軸の向きに対応する時刻をアラームの設定時刻としてアラーム設定を行う
請求項１から請求項４のうち、いずれか一項に記載の端末装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機、ノート型或いはデスクトップ型のパーソナルコンピュータ装置等に適用して好適な回転入力装置を備えた端末装置に関する。
【背景技術】
【０００２】
特開２００７−４１９６３号の公開特許公報（特許文献１）に、リモートコントローラ装置、携帯電話機、オーディオ機器等の操作性を改善可能なジョグダイアルを備えた電子機器が開示されている。この電子機器は、ディスプレイ上のカーソルの左右方向の移動操作を行うためのジョグダイアルと、上記ディスプレイ上のカーソルの上下方向の移動操作を行うためのジョグダイアルとの、計２つのジョグダイアルを備えている。各ジョグダイアルは、それぞれ回転軸が直交するように設けられており、また、操作者の親指の幅として想定される値（例えば、２０ｍｍ）より狭い間隔となるように互いに近接して設けられている。これにより、カーソルの左右方向の移動操作、及び上下方向の移動操作を、それぞれ別々のジョグダイアルで操作することができるため、制御モードの切り換え等の面倒な操作を省略可能として操作性の向上を図ることができる。
【０００３】
【特許文献１】特開２００７−４１９６３号公報（第３頁、図１）
【発明の開示】
【発明が解決しようとする課題】
【０００４】
しかし、上述の特許文献１に開示されている電子機器の場合、各ジョグダイアルを設置するための物理的な設置スペースを少なくとも２箇所必要とする。近年における携帯電話機等の携帯機器は、筐体の小型化が進んでいるうえ、この小型化された筐体に、テレビジョン放送受信機能、音楽プレーヤ機能、現在位置検出機能（ＧＰＳユニット、GPS：Global Positioning System）等の様々な機能が設けられる他、表示面積の大きな表示部や大きな径のステレオスピーカユニット等が設けられる傾向にある。このため、上記２つのジョグダイアル用の設置スペースを確保することが困難となっている。
【０００５】
本発明は、このような実状に鑑みてなされたものであり、上下方向の回転操作を行う回転操作子と、時計回り方向及び反時計回り方向に回転操作を行う回転操作子との２つの回転操作子を、略一つの回転操作子分の設置スペースで設けることを可能とした回転入力装置を備えた端末装置の提供を目的とする。
【課題を解決するための手段】
【０００６】
本発明に係る端末装置は、上述の課題を解決するための手段として、
円板形状を有し、中心から放射状に均等分割して形成した外周部近傍の複数の磁極領域に、Ｓ極及びＮ極が交互に配されて形成されると共に、時計回り方向及び反時計回り方向に、それぞれ回転自在とされた第１の回転操作子と、
上記第１の回転操作子の回転操作に応じて、上記Ｓ極の磁極領域を検出している間、このＳ極の磁極領域を検出していることを示す第１の信号を出力すると共に、上記Ｎ極の磁極領域を検出している間、このＮ極の磁極領域を検出していることを示す第２の信号を出力する第１の回転検出部と、
上記第１の回転検出部から供給された上記第１の信号及び上記第２の信号の現れる順序に基づいて、上記第１の回転操作子の回転操作方向を検出すると共に、この回転操作方向に対応する上記第１の信号或いは上記第２の信号の信号数に基づいて、上記第１の回転操作子の回転操作量を検出し、上記回転操作方向及び上記回転操作量を示す第１の回転操作信号を出力する第１の回転操作信号出力部と、
外周部に沿って設けられた複数の磁極領域に、Ｓ極及びＮ極が交互に配されて形成された略円柱形状を有し、上記第１の回転操作子の略中央部に該第１の回転操作子と共に回転するように一体的に設けられ、上記第１の回転操作子の回転操作方向に対して略直交する回転操作方向とされた第２の回転操作子と、
上記第１の回転操作子と共に回転するように設けられ、上記第２の回転操作子の回転操作に応じて、上記Ｓ極の磁極領域を検出している間、このＳ極の磁極領域を検出していることを示す第３の信号を出力する第３の信号出力端子と、上記Ｎ極の磁極領域を検出している間、このＮ極の磁極領域を検出していることを示す第４の信号を出力する第４の信号出力端子とを備えた第２の回転検出部と、
上記第１の回転操作子と共に回転する上記第２の回転検出部の上記第３の信号出力端子に接触するリング形状の第１のリング端子と、上記第２の回転検出部の上記第４の信号出力端子に接触するリング形状の第２のリング端子とを備えた上記第１の回転操作子の回転軸部と、
上記回転軸部の上記第１のリング端子及び上記第２のリング端子を介して上記第２の回転検出部から供給された上記第３の信号及び上記第４の信号の現れる順序に基づいて、上記第２の回転操作子の回転操作方向を検出すると共に、この回転操作方向に対応する上記第３の信号或いは上記第４の信号の信号数に基づいて、上記第２の回転操作子の回転操作量を検出し、上記回転操作方向及び上記回転操作量を示す第２の回転操作信号を出力する第２の回転操作信号出力部と
を備えた回転入力装置を有する。
【０００７】
このような本発明は、時計回り方向及び反時計回り方向に回転操作可能とされた第１の回転操作子の略中央に、この第１の回転操作子の操作方向に対して略直交する方向に回転操作可能とされた第２の回転操作子を一体的に設けることで、略一つの回転操作子分の設置スペースで２つの回転操作子を設けることを可能とすることができる。
【０００８】
また、第１の回転操作子を回転操作することで、第２の回転操作子の回転軸の方向も変更することができるため、第２の回転操作子の回転操作方向を上下左右方向のみならず、斜め方向にも変更可能として、操作性の向上を図ることができる。また、上記第１の回転操作子の回転軸部の第１のリング端子は、上記第２の回転検出部の上記第３の信号出力端子に接触し、該回転軸部の第２のリング端子は、上記第２の回転検出部の上記第４の信号出力端子に接触している。そして、この回転軸部の第１のリング端子及び第２のリング端子を介して、上記第２の回転検出部の上記第３の信号及び上記第４の信号を取り出すようになっている。このため、第１の回転操作子を３６０度、自在に回転操作することができ、この第１の回転操作子の３６０度の各回転位置中、どの回転位置からでも、上記第２の回転操作子の回転操作に応じた上記第３の信号及び上記第４の信号を取り出し可能とすることができる。
【発明の効果】
【０００９】
本発明は、それぞれ回転操作方向の異なる２つの回転操作子を、略一つの回転操作子分の設置スペースで設けることができる。また、第１の回転操作子及び第２の回転操作子が、共に３６０度回転操作可能であるため、操作性の良い端末装置を提供することができる。
【発明を実施するための最良の形態】
【００１０】
本発明は、携帯電話機に適用することができる。
【００１１】
［携帯電話機の機械構成］
この実施の形態となる携帯電話機は、図１に示すようにいわゆるストレート型（＝スティック型）の携帯電話機となっている。この携帯電話機の筐体１の正面部１ａには、長手方向に沿って上から順に表示部２及び操作部３が設けられており、筐体１の底面部１ｂと操作部３との間には、送話用のマイクロホン部４が設けられている。また、筐体１の上面部１ｃと表示部２の上端部２ａとの間には、筐体１の短手方向に沿って左から順に、表示部２の表示面側の被写体を撮像するための第１のカメラ装置５、受話音声用のスピーカ装置６、及び表示部２の反表示面側の被写体を撮像するための第２のカメラ装置７が設けられている。
【００１２】
すなわち、第１のカメラ装置５は、例えば通話相手の携帯電話機との間で互いに音声及び画像を送受信するテレビ電話通話を行う際に当該携帯電話機を使用しているユーザを撮像するためのカメラ装置（いわゆる、自分撮り用のカメラ装置）となっており、第２のカメラ装置７は、風景や所望の人物等の被写体を撮像するためのカメラ装置となっている。
【００１３】
操作部３としては、押圧操作で所望の文字や記号等の入力や発信操作、通話切断操作等を行うための複数の押圧操作キー８と、回転操作により所望のメニューの選択操作や所望の文字や記号等の入力操作を行うための回転操作部９とが設けられている。
【００１４】
図２に、この回転操作部９の拡大図を示す。この図２からわかるように、この回転操作部９は、略円板形状のディスクジョグダイヤル１０と、このディスクジョグダイヤル１０の中央に設けられた略円柱形状のジョグダイヤル１１とを有している。略円板形状のディスクジョグダイヤル１０は、時計回り方向（ＣＷ方向、CW：ClockWise）及び反時計回り方向（ＣＣＷ方向、CCW：Counter ClockWise）に回転自在となるように上記筐体１に設けられている。また、略円柱形状のジョグダイヤル１１は、ディスクジョグダイヤル１０の回転方向に対して直交する回転方向であるＶ１方向及びＶ２方向（Vertical direction 1,Vertical direction 2）に回転自在となるようにディスクジョグダイヤル１０に設けられている。すなわち、ディスクジョグダイヤル１０及びジョグダイヤル１１は、ディスクジョグダイヤル１０の回転操作に従って、ジョグダイヤル１１自体もＣＷ方向或いはＣＣＷ方向に回転するように一体的に構成されている。
【００１５】
図３（ａ）にジョグダイヤル１１の拡大図を、図３（ｂ）にディスクジョグダイヤル１０の拡大図をそれぞれ示す。図３（ａ）に示すように、ジョグダイヤル１１は、当該ジョグダイヤル１１の長手方向に沿って形成された複数の着磁領域を有している。各着磁領域は、それぞれＳ極及びＮ極が隣接するように交互に着磁されている。また、図３（ｂ）に示すように、ディスクジョグダイヤル１０は、反操作面側（ユーザが指で操作する面の反対側の面）が、当該ディスクジョグダイヤル１０の中心から放射状に均等分割された複数の着磁領域を有している。各着磁領域は、それぞれＳ極及びＮ極が隣接するように交互に着磁されている。
【００１６】
図４に、このような回転操作部９を、当該回転操作部９の中心を通り、かつ、ジョグダイヤル１１の短手方向に沿った直線で切断し、この切断面を正面から見た状態の断面図を示す。この図４からわかるように、回転操作部９には、ジョグダイヤル１１に近接して、該ジョグダイヤル１１の回転操作に対応するエンコードパルス（Ａ信号及びＢ信号）を出力する第１の回転検出部１２と、ディスクジョグダイヤル１０に近接して、該ディスクジョグダイヤル１０の回転操作に対応するエンコードパルス（Ａ信号及びＢ信号）を出力する第２の回転検出部１３とが設けられている。
【００１７】
第２の回転検出部１３は、ディスクジョグダイヤル１０に近接して、筐体１内の基板側に固定して設けられている。これに対して、第１の回転検出部１２は、回転操作部９内に設けられており、ディスクジョグダイヤル１０の回転操作に応じて、ジョグダイヤル１１と共に上記ＣＷ方向或いはＣＣＷ方向に回転する。このため、第１の回転検出部１２と筐体１内の基板とは、回転操作部９の円筒形状の回転軸１４内を通る信号ラインで接続されており、この信号ラインを介して、ジョグダイヤル１１の回転操作に対応するエンコードパルスを取り出すようになっている。
【００１８】
さらに詳細に説明すると、第１の回転検出部１２の反回転検出面側（ジョグダイヤル１１と相対向する面に対する反対の面側）には、図５（ａ）に示すように一対のＡ信号の出力端子１６と、一対のＢ信号の出力端子１７とが設けられている。これに対応して、回転操作部９の回転軸１４には、上記Ａ信号の出力端子１６に当接するリング形状の端子１８、及び上記Ｂ信号の出力端子１７に当接するリング形状の端子１９が設けられている。この端子１８及び端子１９は、図４を用いて説明したように円筒形状の回転軸１４内を通る信号ラインを介して筐体１内の基板に接続されている。
【００１９】
上記各端子１６〜１９は、図５（ｃ）に示すようにディスクジョグダイヤル１０の回転操作による第１の回転検出部１２のＣＷ方向或いはＣＣＷ方向の回転に応じて摺接するようになっており、図５（ｄ）及び上記図４に示すように、第１の回転検出部１２の各出力端子１６、１７を介して出力されたＡ信号及びＢ信号は、回転軸１４側の端子１８、１９及び上記信号ラインを介して、筐体１側の基板に出力されるようになっている。
【００２０】
次に、略円柱形状のジョグダイヤル１１は、上記Ｖ１方向及びＶ２方向の回転操作の他、筐体１方向への押圧操作が可能となっている。具体的には、このジョグダイヤル１１は、図６（ａ）に示すように一対の支柱２１、２２により回転自在に支持されている。各支柱２１、２２は、内部にスプリングが設けられた、いわゆるダンパー構造を有している。このうち、一方の支柱２１には、ジョグダイヤル１１が押圧操作されている間、当接するスイッチ２３が設けられている。このスイッチ２３のスイッチング出力は、支柱２１の底面部に設けられた出力端子２４を介して取り出されるようになっている。なお、支柱２２の底面部に設けられた端子２５は、各支柱２１，２２の高さ合わせのためのダミー端子となっている。
【００２１】
支柱２１の出力端子２４、及び支柱２２のダミー端子２５は、図６（ｂ）に示すように、図４に示す回転軸１４側に設けられたリング形状の端子２６に摺接するようになっている。このリング形状の端子２６は、回転操作部９の円筒形状の回転軸１４内を通る信号ラインにより、筐体１内の基板と接続されており、この信号ラインを介して、図６（ｃ）に示すように、ジョグダイヤル１１の押圧操作に対応するスイッチングパルス（プッシュ信号）を取り出すようになっている。
【００２２】
なお、この例では、一方の支柱２１にのみ、スイッチ２３を設けることとしたが、他方の支柱２２にのみ、スイッチ２３を設けてもよいし、両方の支柱２１，２２にそれぞれスイッチ２３を設けてもよい。
【００２３】
［携帯電話機の電気構成］
次に、この携帯電話機は、図７に示すように基地局との間で音声通話、テレビ電話通話、電子メール、Ｗｅｂデータ（Web：World Wide Web）等の無線通信を行うアンテナ３１及び通信回路３２と、操作メニュー、電子メール、画像（静止画像及び動画像）等を表示するための表示部２と、上記押圧操作部８及び回転操作部９を備えた操作部３と、送話音声等を集音するためのマイクロホン部４と、上記第１及び第２のカメラ装置５，７と、受話音声等を出力するためのスピーカ部６と、発着信等を光でユーザに通知するための発光部３３（LED：Light Emitting Diode）とを有している。
【００２４】
また、この携帯電話機は、当該携帯電話機の筐体１を振動させて発着信等をユーザに通知するためのバイブレーションユニット３４と、時刻をカウントするタイマ３５と、ジョグダイヤル１１の回転を検出する第１の回転検出部１２と、ディスクジョグダイヤル１０の回転を検出する第２の回転検出部１３と、基地局を介した無線通信処理を行うためのコミュニケーションプログラムや各種アプリケーションプログラムの他、これら各アプリケーションプログラムで取り扱われる各種データ（コンテンツ）等が記憶されたメモリ３６と、当該携帯電話機全体の動作を制御する制御部３７と、テレビジョン放送信号（例えば、地上波デジタルテレビジョン放送信号）を受信するテレビジョンアンテナ３８及びテレビジョン放送受信ユニット３９とを有している。
【００２５】
メモリ３６には、上記コミュニケーションプログラムの他、上記ディスクジョグダイヤル１０及びジョグダイヤル１１の回転操作処理を行うための回転操作処理プログラムと、電子メールの作成や送受信を制御するための電子メール管理プログラムと、カメラ部５，７の撮像制御を行うカメラ制御プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムと、コミュニケーションネットワークやインターネット等の所定のネットワーク上に設けられたサーバ装置上で公開されているＷｅｂページを閲覧するためのＷｅｂブラウジングプログラムと、テレビジョン放送受信ユニット３９で受信するテレビジョン放送の選局制御や所望のチャンネルの録画再生制御等を行うためのテレビジョン信号処理プログラム（ＴＶ信号処理プログラム）とが記憶されている。
【００２６】
また、メモリ３６には、ユーザの所望のスケジュールが登録されるスケジュール帳と、ユーザの知人や友人等のユーザ名、静止画像（顔写真等）、住所、電話番号、電子メールアドレス、生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴等が記憶されている。
【００２７】
図８に、上記ジョグダイヤル１１の回転を検出する第１の回転検出部１２及び上記ディスクジョグダイヤル１０の回転を検出する第２の回転検出部１３を含む「回転検出系」の詳細なブロック図を示す。この図８に示すように、回転検出系は、第１の回転検出部１２から出力される信号Ａ及び信号Ｂの各位相に基づいて検出したジョグダイヤル１１の回転方向を示すＶ１回転パルス或いはＶ２回転パルスを出力する回転パルス発生部４１と、回転パルス発生部４１から出力されたＶ１回転パルスのパルス数をカウントし、このカウント値を制御部３７に供給するカウンタ４２と、回転パルス発生部４１から出力されたＶ２回転パルスのパルス数をカウントし、このカウント値を制御部３７に供給するカウンタ４３とを有している。
【００２８】
また、この「回転検出系」は、第２の回転検出部１３から出力される信号Ａ及び信号Ｂの各位相に基づいて検出したディスクジョグダイヤル１０の回転方向を示すＣＷ回転パルス或いはＣＣＷ回転パルスを出力する回転パルス発生部４４と、回転パルス発生部４４から出力されたＣＷ回転パルスのパルス数をカウントし、このカウント値を制御部３７に供給するカウンタ４５と、回転パルス発生部４４から出力されたＣＣＷ回転パルスのパルス数をカウントし、このカウント値を制御部３７に供給するカウンタ４６とを有している。
【００２９】
［回転検出動作］
次に、回転操作部９の各ジョグダイヤル１０，１１の回転検出動作を説明する。図８において、ジョグダイヤル１１の回転は、第１の回転検出部１２により検出される。第１の回転検出部１２は、Ｓ極を検出している間ハイレベルとなる図９（ａ）に示す信号Ａを出力し、また、Ｎ極を検出している間ハイレベルとなる図９（ｂ）に示す信号Ｂを出力する。上述のようにジョグダイヤル１１の外周部は、Ｓ極及びＮ極が交互となるように着磁されている。このため、ジョグダイヤル１１が回転操作されると、図９（ａ）に示す信号Ａ及び図９（ｂ）に示す信号Ｂが第１の回転検出部１２から出力されることとなる。
【００３０】
ここで、Ｓ極及びＮ極が交互となるようにジョグダイヤル１１の外周部が着磁されていることから、当該ジョグダイヤル１１が図２に示すＶ１方向に回転操作された場合と、Ｖ２方向に回転操作された場合とで、信号Ａ及び信号Ｂの立ち上がりエッジの現れ方が異なったものとなる。
【００３１】
具体的には、ジョグダイヤル１１がＶ１方向に回転操作された場合、図９（ａ），（ｂ）に示すように信号Ａの立ち上がりエッジ、信号Ｂの立ち上がりエッジの順に該各信号Ａ，Ｂの立ち上がりエッジが検出される。また、ジョグダイヤル１１がＶ２方向に回転操作された場合、図９（ｃ），（ｄ）に示すように信号Ｂの立ち上がりエッジ、信号Ａの立ち上がりエッジの順に該各信号Ａ，Ｂの立ち上がりエッジが検出される。
【００３２】
回転パルス発生部４１は、このような各信号Ａ，Ｂの立ち上がりエッジの現れ方を検出することでジョグダイヤル１１の回転方向を検出し、図９（ａ），（ｂ）に示すように信号Ａの立ち上がりエッジ、信号Ｂの立ち上がりエッジの順に該各信号Ａ，Ｂの立ち上がりエッジを検出した場合には、ジョグダイヤル１１は上記Ｖ１方向に回転操作されたものと判別し、該ジョグダイヤル１１が上記Ｖ１方向に回転操作されたことを示すと共に該ジョグダイヤル１１の回転操作に対応したパルス数となるＶ１回転パルスをカウンタ４２に供給する。カウンタ４２は、このＶ１回転パルスのパルス数をカウントし、このカウント値を制御部３７に供給する。
【００３３】
同様に、回転パルス発生部４１は、図９（ｃ），（ｄ）に示すように信号Ｂの立ち上がりエッジ、信号Ａの立ち上がりエッジの順に該各信号Ａ，Ｂの立ち上がりエッジを検出した場合には、ジョグダイヤル１１は上記Ｖ２方向に回転操作されたものと判別し、該ジョグダイヤル１１が上記Ｖ２方向に回転操作されたことを示すと共に該ジョグダイヤル１１の回転操作に対応したパルス数となるＶ２回転パルスをカウンタ４３に供給する。カウンタ４３は、このＶ２回転パルスのパルス数をカウントし、このカウント値を制御部３７に供給する。
【００３４】
一方、図８において、ディスクジョグダイヤル１０の回転は、第２の回転検出部１３により検出される。第２の回転検出部１３も、上記第１の回転検出部１２と同様には、Ｓ極を検出している間ハイレベルとなる信号Ａを出力し、また、Ｎ極を検出している間ハイレベルとなる信号Ｂを出力する。上述のように、このディスクジョグダイヤル１０もＳ極及びＮ極が交互となるように外周部近傍が着磁されている。このため、ディスクジョグダイヤル１０が回転操作されると、上記信号Ａ及び上記信号Ｂが第２の回転検出部１３から出力されることとなる。
【００３５】
ここで、Ｓ極及びＮ極が交互となるようにディスクジョグダイヤル１０の外周部近傍が着磁されていることから、当該ディスクジョグダイヤル１０が図２に示すＣＷ方向に回転操作された場合と、ＣＣＷ方向に回転操作された場合とで、信号Ａ及び信号Ｂの立ち上がりエッジの現れ方が異なったものとなる。
【００３６】
具体的には、ディスクジョグダイヤル１０がＣＷ方向に回転操作された場合、信号Ａの立ち上がりエッジ、信号Ｂの立ち上がりエッジの順に該各信号Ａ，Ｂの立ち上がりエッジが検出される。また、ディスクジョグダイヤル１０がＣＣＷ方向に回転操作された場合、信号Ｂの立ち上がりエッジ、信号Ａの立ち上がりエッジの順に該各信号Ａ，Ｂの立ち上がりエッジが検出される。
【００３７】
回転パルス発生部４４は、このような各信号Ａ，Ｂの立ち上がりエッジの現れ方を検出することでディスクジョグダイヤル１０の回転方向を検出し、信号Ａの立ち上がりエッジ、信号Ｂの立ち上がりエッジの順に該各信号Ａ，Ｂの立ち上がりエッジを検出した場合には、ディスクジョグダイヤル１０は上記ＣＷ方向に回転操作されたものと判別し、該ディスクジョグダイヤル１０が上記ＣＷ方向に回転操作されたことを示すと共に該ディスクジョグダイヤル１０の回転操作に対応したパルス数となるＣＷ回転パルスをカウンタ４５に供給する。カウンタ４５は、このＣＷ回転パルスのパルス数をカウントし、このカウント値を制御部３７に供給する。
【００３８】
同様に、回転パルス発生部４４は、信号Ｂの立ち上がりエッジ、信号Ａの立ち上がりエッジの順に該各信号Ａ，Ｂの立ち上がりエッジを検出した場合には、ディスクジョグダイヤル１０は上記ＣＣＷ方向に回転操作されたものと判別し、該ディスクジョグダイヤル１０が上記ＣＣＷ方向に回転操作されたことを示すと共に該ディスクジョグダイヤル１０の回転操作に対応したパルス数となるＣＣＷ回転パルスをカウンタ４６に供給する。カウンタ４６は、このＣＣＷ回転パルスのパルス数をカウントし、このカウント値を制御部３７に供給する。
【００３９】
次に、カウンタ４２から供給されるカウント値は、ジョグダイヤル１１がＶ１方向に回転操作されたことを示すと共に、該ジョグダイヤル１１の回転操作量（＝回転操作速度）を示す値となる。同様に、カウンタ４３から供給されるカウント値は、ジョグダイヤル１１がＶ２方向に回転操作されたことを示すと共に、該ジョグダイヤル１１の回転量（＝回転速度）を示す値となる。また、カウンタ４５から供給されるカウント値は、ディスクジョグダイヤル１０がＣＷ方向に回転操作されたことを示すと共に、該ディスクジョグダイヤル１０の回転量（＝回転速度）を示す値となり、カウンタ４６から供給されるカウント値は、ディスクジョグダイヤル１０がＣＣＷ方向に回転操作されたことを示すと共に、該ディスクジョグダイヤル１０の回転操作量（＝回転操作速度）を示す値となる。このため、制御部３７は、カウント値の供給元となるカウンタに基づいて（＝どのカウンタからカウント値が供給されたか）、ユーザにより回転操作されたジョグダイヤル１０，１１を判別すると共に、各カウンタ４２，４３、及びカウンタ４５，４６からそれぞれ供給されるカウント値に基づいて、その回転操作方向及び回転操作量を検出する。そして、メモリ３６に記憶されている回転操作処理プログラムに基づいて、この判別結果及び検出結果に対応する操作対象の処理を行う。
【００４０】
［テレビジョン放送及び電子メールの同時処理における回転操作処理動作］
この実施の形態の携帯電話機は、テレビジョン放送を視聴しながら電子メールの作成を行うことが可能となっている。具体的には、表示部２にテレビジョン放送受信ユニット３９で受信されているチャンネルのテレビジョン放送を表示している際に、ユーザから操作部３を介して電子メールの作成指示操作がなされた場合、制御部３７は、図１０（ａ）に示すように表示部２の表示画面を２分割制御し、一方の分割表示領域にテレビジョン放送を表示し、他方の分割表示領域に電子メールの作成画面を表示する。或いは、表示部２に電子メールの作成画面を表示している際に、ユーザから操作部３を介してテレビジョン放送の視聴指示操作がなされた場合、制御部３７は、図１０（ａ）に示すように表示部２の表示画面を２分割制御し、一方の分割表示領域に電子メールの作成画面を表示し、他方の分割表示領域にテレビジョン放送を表示する。
【００４１】
この図１０（ａ）は、当該携帯電話機を横向きにすることで、通常、縦長の表示画面の状態で使用する表示部２を、横長の表示画面の状態で使用している例であり、図１０（ａ）中、右分割表示領域にテレビジョン放送を、左分割表示領域に電子メールの作成画面を表示した例である。
【００４２】
左分割表示領域に表示された電子メールの作成画面は、入力が確定された文字が表示される入力確定文字表示領域５１と、入力確定前の文字が表示される入力確定前文字表示領域５２と、ユーザにより入力された文字に対応する一つ或いは複数の変換候補となる文字が表示される変換候補表示領域５３とを有している。そして、ユーザにより文字入力がなされると、制御部３７は、このユーザにより入力された文字を入力確定前文字表示領域５２に表示すると共に、このユーザにより入力された文字に対応する一つ或いは複数の変換候補となる文字を変換候補表示領域５３に表示する。
【００４３】
ユーザは、ジョグダイヤル１１を回転操作することで、変換候補表示領域５３に表示された各変換候補間を移動するカーソルＣＲを所望の変換候補に移動操作し、ジョグダイヤル１１を押圧操作する。制御部３７は、ジョグダイヤル１１の回転操作に対応して、変換候補表示領域５３に表示しているカーソルＣＲを、各変換候補の表示位置に移動表示する。そして、制御部３７は、ジョグダイヤル１１の押圧操作を検出した際にカーソルＣＲが位置している変換候補を、ユーザにより入力が指定された変換候補であると認識し、この変換候補を入力確定前文字表示領域５２に表示する。
【００４４】
制御部３７は、ユーザから所望の文字が入力される毎に、入力された文字に対応する変換候補を表示し、この変換候補の中から選択された変換候補を入力確定前文字表示領域５２に表示する。そして、制御部３７は、上記入力確定前文字表示領域５２に上記変換候補を表示した際に、再度、ジョグダイヤル１１の押圧操作を検出した場合（＝変換候補の入力を指定するジョグダイヤル１１の押圧操作に連続する該ジョグダイヤル１１の押圧操作を検出した場合）、この入力確定前文字表示領域５２に表示している文字を、ユーザにより入力が確定された文字であると認識し、この入力確定前文字表示領域５２に表示している文字を、入力確定文字表示領域５１に表示する。これにより、テレビジョン放送を視聴しながら、所望の文章となる電子メールを作成することができる。
【００４５】
ここで、制御部３７は、ジョグダイヤル１１の回転操作に応じて、変換候補表示領域５３に表示しているカーソルＣＲを移動表示制御するのであるが、図１０（ａ）に示すようにジョグダイヤル１１の回転軸が当該携帯電話機の短手方向に沿った状態となっている際に、該ジョグダイヤル１１の回転操作を検出した場合、制御部３７は、ジョグダイヤル１１の回転操作に応じて、カーソルＣＲを右方向或いは左方向に移動表示制御する。これにより、例えば図１０（ａ）に示す例の場合、カーソルＣＲは、ありがとう→新たに→間→明日・・・等のように、言わば横方向に移動表示制御されることとなる。
【００４６】
これに対して、図１０（ｂ）に示すようにジョグダイヤル１１の回転軸が当該携帯電話機の長手方向に沿った状態となっている際に、該ジョグダイヤル１１の回転操作を検出した場合、制御部３７は、ジョグダイヤル１１の回転操作に応じて、カーソルＣＲを下方向或いは上方向に移動表示制御する。これにより、例えば図１０（ｂ）に示す例の場合、カーソルＣＲは、ありがとう→間・・・等のように、言わば縦方向に移動表示制御されることとなる。
【００４７】
上述のように、当該実施の形態の携帯電話機の場合、ディスクジョグダイヤル１０を回転操作することで、ジョグダイヤル１１自体も回転操作可能となっている。このため、ユーザは、ディスクジョグダイヤル１０を回転操作することで、ジョグダイヤル１１の回転軸の向きを、当該携帯電話機の短手方向（図１０（ａ）参照）、或いは当該携帯電話機の長手方向（図１０（ｂ）参照）に変更することができる。従って、カーソルＣＲを移動操作し易い方向に、ジョグダイヤル１１の回転軸を回転移動することができ（＝ジョグダイヤル１１の回転操作方向を上下左右に自由に変更することができ）、文字等の入力操作の操作性の向上を図ることができる。
【００４８】
［所望のメニューの選択操作］
次に、回転操作部９を用いて所望のメニューを選択操作する場合、ユーザは、まず、待ち受け画面が表示されている状態でジョグダイヤル１１を押圧操作する。制御部３７は、待ち受け画面を表示している状態でジョグダイヤル１１の押圧操作を検出すると、メニューの一覧の表示が指定されたものと認識し、例えば図１１に示すようにエンタテインメント、メール、ネットワークモード、アプリケーション、電話、データボックス（データＢＯＸ）・・・等のメインメニューを表示部２に表示制御する。
【００４９】
次に、ユーザは、ディスクジョグダイヤル１０を回転操作することで、ジョグダイヤル１１の回転軸を当該携帯電話機の短手方向に沿った方向とし、該ジョグダイヤル１１を上記Ｖ１方向或いはＶ２方向に回転操作する。この回転操作がなされると、制御部３７は、エンタテインメント→メール→ネットワークモード→アプリケーション→電話→データＢＯＸ・・・の順にカーソルＣＲを移動操作する。
【００５０】
ユーザは、所望のメインメニュー項目にカーソルＣＲを移動させ、ジョグダイヤル１１を押圧操作する。メインメニューを表示している際に、ジョグダイヤル１１の押圧操作を検出すると、制御部３７は、この押圧操作がなされた際にカーソルＣＲが位置していたメインメニュー項目のサブメニューを表示部２に表示制御する。例えば、エンタテインメントのメインメニュー項目にカーソルＣＲが位置していた際に、ジョグダイヤル１１が押圧操作された場合、制御部３７は、図１１に示すマイセレクト、音楽プレーヤ、カレンダー、カメラ、ムービー・・・等の、上記エンタテインメントの各サブメニュー項目を表示部２に表示制御する。
【００５１】
ユーザは、ディスクジョグダイヤル１０を回転操作することで、ジョグダイヤル１１の回転軸が当該携帯電話機の短手方向に沿った方向とされているジョグダイヤル１１を上記Ｖ１方向或いはＶ２方向に回転操作し、所望のサブメニュー項目にカーソルＣＲを移動操作したうえで、該ジョグダイヤル１１を押圧操作する。制御部３７は、ジョグダイヤル１１の回転操作に応じて、マイセレクト→音楽プレーヤ→カレンダー→カメラ→ムービー・・・の順にカーソルＣＲを移動表示制御し、該ジョグダイヤル１１の押圧操作を検出した際に、カーソルＣＲが位置しているサブメニュー項目に対応するアプリケーションプログラムを実行制御する。
【００５２】
十字キーと決定キーを用いて、例えば図１１のムービーのサブメニュー項目を選択する場合、まず、メニューキーを押圧操作し、次に、エンタテインメントのメインメニュー項目にカーソルＣＲが位置している状態で決定キーを押圧操作してサブメニューを表示させ、次に、十字キーの下キーを４回押圧操作して、カーソルＣＲをムービーのサブメニュー項目の表示位置まで移動操作して決定キーを押圧操作する。この場合、計６回の押圧操作を必要とすると共に、メニューキー、決定キー及び十字キーの３つのキーを操作する必要がある（＝操作するキーを３回、変更する必要がある。）。
【００５３】
しかし、この実施の形態の携帯電話機の場合、ディスクジョグダイヤル１０を回転操作することでジョグダイヤル１１を操作し易い状態としたうえで、このジョグダイヤル１１の回転操作及び押圧操作するだけで、上記ムービーのサブメニュー項目を選択操作することができる。このため、ジョグダイヤル１１のみの操作で所望のサブメニュー項目を選択することができる。また、待ち受け画面からメインメニューを表示させるためのジョグダイヤル１１の押圧操作と、メインメニューから所望のメインメニュー項目を選択するためのジョグダイヤル１１の押圧操作と、サブメニューから所望のサブメニュー項目を選択するためのジョグダイヤル１１の押圧操作との、計３回の押圧操作で所望のサブメニュー項目を選択することができ、上記十字キーと決定キーを用いた場合の１／２の押圧操作で所望のサブメニュー項目を選択することができる。
【００５４】
なお、この例では、メインメニュー上のカーソルＣＲ、及びサブメニュー上のカーソルＣＲをジョグダイヤル１１の回転操作で移動することとしたが、ディスクジョグダイヤル１０の回転操作で移動させてもよい。この場合、制御部３７は、ディスクジョグダイヤル１０の回転操作に応じて、メインメニューの各メインメニュー項目上に、カーソルＣＲを順次移動表示制御し、また、サブメニューの各サブメニュー項目上に、カーソルＣＲを順次移動表示制御する。これにより、ユーザは、ディスクジョグダイヤル１０を回転操作して、所望のメインメニュー項目上或いはサブメニュー項目上にカーソルＣＲを移動操作して、ジョグダイヤル１１を押圧操作するだけで、所望のサブメニュー項目を選択することができる。
【００５５】
［アラーム設定動作］
次に、この実施の形態の携帯電話機では、ジョグダイヤル１１を時計の時針及び分針に見立てて所望の時刻にアラーム設定を行うことができる。この場合、ユーザはメニュー項目からアラーム設定を選択し、ジョグダイヤル１１を時計の時針としてアラーム設定を行うか、ジョグダイヤル１１を時計の分針としてアラーム設定を行うかを選択する。そして、ディスクジョグダイヤル１０を回転操作することで、ジョグダイヤル１１の位置を所望の時刻の位置として、該ジョグダイヤル１１を押圧操作する。
【００５６】
具体的には、ジョグダイヤル１１を時計の時針としてアラーム設定を行う場合において、ユーザによりディスクジョグダイヤル１０が回転操作され、ジョグダイヤル１１の回転軸が、図１２（ａ）に示すように当該携帯電話機の短手方向に沿った方向とされたうえで、該ジョグダイヤル１１が押圧操作された場合、制御部３７は、現在時刻から９時間後の時刻にアラーム設定を行う。これに対して、ジョグダイヤル１１を時計の分針としてアラーム設定を行う場合において、ユーザによりディスクジョグダイヤル１０が回転操作され、ジョグダイヤル１１の回転軸が、図１２（ａ）に示すように当該携帯電話機の短手方向に沿った方向とされたうえで、該ジョグダイヤル１１が押圧操作された場合、制御部３７は、現在時刻から４５分後の時刻にアラーム設定を行う。
【００５７】
また、ジョグダイヤル１１を時計の時針としてアラーム設定を行う場合において、ユーザによりディスクジョグダイヤル１０が回転操作され、ジョグダイヤル１１の回転軸が、図１２（ｂ）に示すように当該携帯電話機の長手方向に沿った方向とされたうえで、該ジョグダイヤル１１が押圧操作された場合、制御部３７は、現在時刻から６時間後の時刻にアラーム設定を行う。これに対して、ジョグダイヤル１１を時計の分針としてアラーム設定を行う場合において、ユーザによりディスクジョグダイヤル１０が回転操作され、ジョグダイヤル１１の回転軸が、図１２（ｂ）に示すように当該携帯電話機の長手方向に沿った方向とされたうえで、該ジョグダイヤル１１が押圧操作された場合、制御部３７は、現在時刻から３０分後の時刻にアラーム設定を行う。
【００５８】
また、ジョグダイヤル１１を時計の時針としてアラーム設定を行う場合において、ユーザによりディスクジョグダイヤル１０が回転操作され、ジョグダイヤル１１の回転軸が、図１２（ｃ）に示すように時計の文字盤の１時の方向とされたうえで、該ジョグダイヤル１１が押圧操作された場合、制御部３７は、現在時刻から１時間後の時刻にアラーム設定を行う。これに対して、ジョグダイヤル１１を時計の分針としてアラーム設定を行う場合において、ユーザによりディスクジョグダイヤル１０が回転操作され、ジョグダイヤル１１の回転軸が、図１２（ｃ）に示すように時計の文字盤の１時の方向とされたうえで、該ジョグダイヤル１１が押圧操作された場合、制御部３７は、現在時刻から５分後の時刻にアラーム設定を行う。
【００５９】
当該実施の形態の携帯電話機の場合、ディスクジョグダイヤル１０を回転操作することで、ジョグダイヤル１１自体も回転操作することができるため、このようなアラーム設定も簡単な操作で行うことを可能とすることができる。
【００６０】
［変形例］
上述の実施の形態は、本発明をストレート型（＝スティック型）の携帯電話機に適用した例であったが、本発明を折り畳み型の携帯電話機やスライド型の携帯電話機、或いはジャックナイフ型の携帯電話機に適用してもよい。いずれの場合でも、上述と同様の効果を得ることができる。
【００６１】
図１３は、本発明を適用した折り畳み型の携帯電話機の実施の形態である。この場合、携帯電話機は、上筐体６１及び下筐体６２をヒンジ部６３を介して折り畳み可能に接続した構成を有している。また、回転操作部９は、表示部６４の下端部とヒンジ部６３との間に設けられている。
【００６２】
ヒンジ部６３は、上筐体６１及び下筐体６２を、当該携帯電話機を折り畳む方向に回動可能とすると共に、この折り畳む方向に対して直交する方向にも、上筐体６１及び下筐体６２を回動可能に接続している。図１４（ａ）に、上記折り畳む方向に対して直交する方向に上筐体６１及び下筐体６２を回動して折り畳んだ状態の当該携帯電話機を示す。この場合、表示部６１及び回転操作部９が共に露出した状態となる。
【００６３】
ユーザは、この状態で、回転操作部９のジョグダイヤル１１及びディスクジョグダイヤル１０を回転操作して、図１４（ａ）、図１４（ｂ）に示すようにジョグダイヤル１１の操作方向を変更しながら文字等の入力操作や所望のメニューの選択操作等を行う。これにより、上述と同様に、例えば所望のテレビジョン放送を視聴しながら電子メールを作成する等の様々な操作を可能とすることができる。
【００６４】
通常、折り畳み型の携帯電話機の場合、折り畳んだ状態とすると操作部が隠れてしまうため、所望の操作が困難となるが、当該実施の形態の携帯電話機の場合、折り畳んだ状態でも表示部６４及び回転操作部９を露出させることができるうえ、回転操作部９のディスクジョグダイヤル１０を回転操作することで、ジョグダイヤル１１の操作方向も所望の方向に変更することができるため、当該携帯電話機を折り畳んだ状態で、該携帯電話機を開いた状態と同様の操作を可能とすることができる。
【００６５】
［実施の形態の効果］
以上の説明から明らかなように、この実施の形態の携帯電話機は、それぞれ回転操作方向が直交するジョグダイヤル１１及びディスクジョグダイヤル１０が一体的に形成された回転操作部９を有している。このため、ディスクジョグダイヤル１０一つ分の設置スペースで、該ディスクジョグダイヤル１０及びジョグダイヤル１１の、計２つのジョグダイヤルを設けることができる。
【００６６】
また、ディスクジョグダイヤル１０を回転操作することで、ジョグダイヤル１１の回転操作方向を変更することができるため、操作性の向上を図ることができる。ジョグダイヤル１１の回転操作方向が例えば横方向に固定されている場合、例えばゲームにおける操作対象オブジェクトを横方向にしか移動操作することができないため、該操作対象オブジェクトを縦方向に移動操作するには十字キーを用いることとなる。このため、ジョグダイヤルは、ゲームの操作対象オブジェクトを移動操作するには不向きとされているが、この実施の形態の携帯電話機の場合、ディスクジョグダイヤル１０を回転操作することで、ジョグダイヤル１１の回転操作方向を縦方向、及び横方向のみならず、斜め方向まで、所望の方向に変更することができるため、ゲームの操作対象オブジェクトも良好に移動操作可能とすることができる。
【００６７】
また、ジョグダイヤル１１及びディスクジョグダイヤル１０のうち、いずれか一方のみを設けた場合、この一つのみ設けられているジョグダイヤルが故障すると、携帯電話機の種々の操作に支障を来すが、当該実施の形態の携帯電話機の場合、２つのジョグダイヤル１０、１１が設けられているため、一方のジョグダイヤルが故障した場合でも、他方のジョグダイヤルで当該携帯電話機の操作を補うことができる。
【００６８】
最後に、上述の実施の形態は、本発明を携帯電話機に適用した例であったが、本発明は、この他、ＰＨＳ電話機（PHS：Personal Handyphone System）、ＰＤＡ装置（PDA：Personal Digital Assistant）、携帯ゲーム機、ノート型或いはデスクトップ型のパーソナルコンピュータ装置等の端末機器や、マウス装置等の入力機器に適用してもよい。いずれの場合でも、上述と同じ効果を得ることができる。
【００６９】
また、上述の実施の形態は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００７０】
【図１】本発明を適用した実施の形態となるストレート型の携帯電話機の外観を示す図である。
【図２】実施の形態の携帯電話機に設けられている回転操作部の外観を示す図である。
【図３】実施の形態の携帯電話機に設けられている回転操作部のジョグダイヤル及びディスクジョグダイヤルの着磁状態を示す図である。
【図４】実施の形態の携帯電話機に設けられている回転操作部の断面図である。
【図５】実施の形態の携帯電話機に設けられている回転操作部のジョグダイヤルの回転操作信号の取り出し方を説明するための図である。
【図６】実施の形態の携帯電話機に設けられている回転操作部のジョグダイヤルの押圧構造を説明するための図である。
【図７】実施の形態の携帯電話機のブロック図である。
【図８】実施の形態の携帯電話機の回転検出系のブロック図である。
【図９】実施の形態の携帯電話機に設けられている回転操作部から出力される回転検出信号の波形図である。
【図１０】実施の形態の携帯電話機に設けられている回転操作部の操作の一例を示す図である。
【図１１】実施の形態の携帯電話機に設けられている回転操作部を用いたメニュー選択操作を説明するための図である。
【図１２】実施の形態の携帯電話機に設けられている回転操作部を用いたアラーム設定操作を説明するための図である。
【図１３】本発明を適用した実施の形態の変形例となる折り畳み型の携帯電話機の外観を示す図である。
【図１４】実施の形態の携帯電話機の変形例となる折り畳み型の携帯電話機における回転操作部の操作の一例を示す図である。
【符号の説明】
【００７１】
１  筐体、２  表示部、３  操作部、４  マイクロホン部、５  自分撮り用のカメラ部、６  スピーカ部、７  カメラ部、８  押圧操作キー、９  回転操作部、１０  ディスクジョグダイヤル、１１  ジョグダイヤル、１２  第１の回転検出部、１３  第２の回転検出部、１４  回転軸、１６  Ａ信号の出力端子、１７  Ｂ信号の出力端子、１８  端子、１９  端子、２１  ジョグダイヤルの支柱、２２  ジョグダイヤルの支柱、２３  スイッチ、２４  端子、２５  ダミー端子、２６  端子、３１  アンテナ、３２  通信回路、３３  発光部（LED：Light Emitting Diode）、３４  バイブレーションユニット、３５  タイマ、３６  メモリ、３７  制御部、３８  テレビジョンアンテナ、３９  テレビジョン放送受信ユニット、４１  回転パルス発生部、４２  カウンタ、４３  カウンタ、４４  回転パルス発生部、４５  カウンタ、４６  カウンタ、５１  入力確定文字表示領域、５２  入力確定前文字表示領域、５３  変換候補表示領域、６１  上筐体、６２  下筐体、６３  ヒンジ部、６４  表示部
【図１】
0004960825.tif 000002
【図２】
0004960825.tif 000003
【図３】
0004960825.tif 000004
【図４】
0004960825.tif 000005
【図５】
0004960825.tif 000006
【図６】
0004960825.tif 000007
【図７】
0004960825.tif 000008
【図８】
0004960825.tif 000009
【図９】
0004960825.tif 000010
【図１０】
0004960825.tif 000011
【図１１】
0004960825.tif 000012
【図１２】
0004960825.tif 000013
【図１３】
0004960825.tif 000014
【図１４】
0004960825.tif 000015